(57)【要約】【課題】データ計測中の生データ保管に関するユーザインターフェース制御部の負担を軽減し画像再構成処理時におけるユーザインタフェース制御部の各種処理の並列実行を可能としデータ処理の高速化が可能な医療画像診断装置を実現する。【解決手段】データ計測中、再構成処理制御部８は矢印１９のようにＳｃａｎｎｅｒハードウェア１０から再構成処理制御部用主メモリ９に入力された生データに対し、再構成処理を実行し画像化する。ユーザインタフェース制御部５は矢印１８のように再構成処理制御部用主メモリ９からユーザインタフェース制御部用主メモリ６に画像化データを受信する。制御部５は矢印１７のように用主メモリ６の画像化されたデータをディスプレイ３に表示する。これらの処理と並行してデータ計測中に再構成処理制御部８が矢印２０に示すように再構成処理制御部用主メモリ９の生データを再構成処理制御部用磁気ディスク１６に保存する。【選択図】      図３
2005230164.tif 000002
【特許請求の範囲】
【請求項１】
被検体から診断用データを計測する計測手段と、この計測手段から診断用データが供給され、供給された診断用データを画像データに構成する画像再構成処理手段と、操作入力手段と、画像表示手段と、上記操作入力手段からの操作指令に従って、上記計測手段の動作を制御するとともに、上記画像再構成処理手段から供給される画像データに画像処理を行い、画像表示手段に画像を表示させる画像表示処理制御手段とを備える医用画像診断装置において、
上記画像再構成処理手段により、画像処理前の診断用データが格納される第１の記憶手段を備え、上記画像再構成処理手段は、上記計測手段から供給された診断用データを画像データに構成し、上記画像表示処理制御手段に供給すると共に、上記診断用データを上記第１の記憶手段に格納することを特徴とする医用画像診断装置。
【請求項２】
請求項１記載の医用画像診断装置において、上記操作入力手段の操作入力に従って、上記画像表示処理制御手段により、上記第１の記憶手段に記憶された診断用データのうちの選択された診断用データが格納される第２の記憶手段を備えることを特徴とする医用画像診断装置。
【請求項３】
請求項１記載の医用画像診断装置において、上記画像表示処理制御手段は、上記計測手段による診断用データの計測動作の制御と独立して上記画像処理と、該画像処理を行った画像を上記表示手段に表示させることを特徴とする医用画像診断装置。
【請求項４】
請求項３記載の医用画像診断装置において、上記表示手段は、画像処理を行った画像の表示と、上記計測手段による診断用データの計測動作の計測進行状況の表示を同一画面上で行うことを特徴とする医用画像診断装置。
【発明の詳細な説明】
【技術分野】
【０００１】
本発明は、磁気共鳴イメージング装置（ＭＲＩ装置）やＸ線ＣＴ装置等の医用画像診断装置に係わり、特に画像用のデータ処理に関する。
【背景技術】
【０００２】
ＭＲＩ装置やＸ線ＣＴ装置等の医用画像診断装置では、計測により発生した生データ（画像の再構成する前段階の計測データ）を、画像構成後に再構成して再現するために保管している。これは、例えば、画像構成結果が好ましくは無かった場合に、保管した生データを使用して、再び、画像を構成できるようにするためである。
【０００３】
例えば、特許文献１には、保管した生データにより画像を再構成可能なように、生データのみならず、その生データの処理プロセス情報の両者を記憶する技術が記載されている。
【０００４】
従来技術における医用画像診断装置の画像データ処理について説明する。  
図８及び図９において、１はキーボード、２はマウス、３はディスプレイ、４はユーザインタフェース制御部用磁気ディスク、５はユーザインタフェース制御部（制御用ハードウエア）、６はユーザインタフェース制御部用主メモリ、７は計測処理制御部（計測処理ハードウエア）、８は再構成処理制御部（再構成処理ハードウエア）、９は再構成処理制御部用主メモリ、１０はＳｃａｎｎｅｒハードウェアである。
【０００５】
従来技術における、生データの保管処理について、図８を参照して説明する。  
被検体の画像に関するデータ計測中は、再構成処理制御部８は、矢印１５に示すように、Ｓｃａｎｎｅｒハードウェア１０から再構成処理制御部用主メモリ９に入力された生データに対して、再構成処理を実行し画像化を行う。
【０００６】
次に、ユーザインタフェース制御部５が、矢印１４に示すように、再構成処理制御部用主メモリ９からユーザインタフェース制御部用主メモリ６に画像化したデータを受信する。
【０００７】
その後、ユーザインタフェース制御部５は、矢印１１に示すように、ユーザインタフェース制御部用主メモリ６に記憶された画像化データをディスプレイ３に表示させる。
【０００８】
また、上述した処理と並行して、データ計測中には、ユーザインタフェース制御部５が、矢印１３に示すように、再構成処理制御部用主メモリ９に記憶された生データをユーザインタフェース制御部用主メモリ６に受信し、矢印１２に示すように、ユーザインタフェース制御部用主メモリ６からユーザインタフェース制御部用磁気ディスク４に保存する。
【０００９】
次に、磁気ディスク４に記憶された生データを再び、再構成処理するための処理について図９を参照して説明する。
【００１０】
まず、矢印１２に示すように、ユーザインタフェース制御部５が、ユーザインタフェース制御部用磁気ディスク４に保存されている生データをユーザインタフェース制御部用主メモリ６に読みこみ、矢印１３に示すように、ユーザインタフェース制御部用主メモリ６から再構成処理制御部用主メモリ９に送信する。
【００１１】
次に、再構成処理制御部８が、再構成処理制御部用主メモリ９の生データに対して再構成処理を実行する。その後、ユーザインタフェース制御部５が、矢印１４に示すように、再構成処理制御部用主メモリ９からユーザインタフェース制御部用主メモリ６に画像化したデータを受信する。
【００１２】
その後、ユーザインタフェース制御部５は、矢印１１に示すように、ユーザインタフェース制御部用主メモリ６に記憶された画像化データをディスプレイ３に表示する。
【００１３】
【特許文献１】特開平１０−１２７６２２号公報
【発明の開示】
【発明が解決しようとする課題】
【００１４】
上述したように、従来技術における生データの保管方法では、データ計測中に、ユーザインタフェース制御部が生データを再構成処理制御部から受信し、ユーザインタフェース制御部用の磁気ディスクに保管処理することにより行っていた。
【００１５】
したがって、例えば、高速に画像を撮像し、連続で表示する場合や、画像を表示しながらユーザインタフェースを頻繁に操作する診断環境にある場合などでは、ユーザインタフェース制御部は、生データの転送処理／保管処理と並行して、画像表示処理、ユーザインタフェース処理を実行する必要がある。
【００１６】
しかしながら、上述したような診断環境では、生データの転送処理／保管処理が負担となり、画像表示、ユーザインタフェース処理が高速に対応できなくなるという問題が生じる場合がある。
【００１７】
これは、生データのデータサイズが、表示用データに比べて非常に大きく、受信処理／保管処理が、ユーザインタフェース制御部に対して、非常に大きな負担となるからである。
【００１８】
また、従来技術においては、生データに対して再び再構成処理を実行する場合は、生データをユーザインタフェース制御部の磁気ディスクから読み込み、再構成処理制御部に送信する必要があった。この場合、ユーザインタフェース制御部の磁気ディスクには、生データ、画像データをまとめて記憶する必要があるため、磁気ディスクへのアクセスが集中してしまい、磁気ディスクにアクセスする必要がある、その他の各種処理を分散・並行して処理することができないという問題があった。
【００１９】
本発明の目的は、データ計測中に、生データの保管に関するユーザインターフェース制御部の負担を軽減するとともに、画像再構成処理におけるユーザインタフェース制御部の各種処理の並列実行を可能とし、データ処理の高速化が可能な医療画像診断装置を実現することである。
【課題を解決するための手段】
【００２０】
上記目的を達成するため、本発明は次のように構成される。
【００２１】
（１）本発明の医用画像診断装置は、被検体から診断用データ（生データ）を計測する計測手段（計測処理制御部７、Ｓｃａｎｎｅｒハードウェア１０）と、この計測手段から診断用データが供給され、供給された診断用データを画像データに構成する画像再構成処理手段（再構成処理制御部８）と、操作入力手段（キーボード１、マウス２）と、画像表示手段（ディスプレイ３）と、上記操作入力手段からの操作指令に従って、上記計測手段の動作を制御するとともに、上記画像再構成処理手段から供給される画像データに画像処理を行い、画像表示手段に画像を表示させる画像表示処理制御手段（ユーザインタフェース制御部５）とを備える。
【００２２】
そして、本発明の医用画像診断装置は、上記画像再構成手段により、画像処理前の診断用データが格納される第１の記憶手段（再構成処理制御部用磁気ディスク１６）を備え、上記画像再構成処理手段は、上記計測手段供給された診断用データを画像データに構成し、上記画像表示処理制御手段に供給した後に、上記診断用データを上記第１の記憶手段に格納する。
【００２３】
（２）好ましくは、上記（１）において、上記操作入力手段の操作入力に従って、上記画像表示処理制御手段により、上記第１の記憶手段に記憶された診断用データのうちの選択された診断用データが格納される第２の記憶手段（ユーザインタフェース制御部用磁気ディスク４）を備える。
【００２４】
（３）また、好ましくは、上記（１）において、上記画像表示処理制御手段は、上記操作入力手段からの操作指令に従って、上記計測手段による診断用データの計測動作を制御するとともに、この制御動作と並行して、上記画像再構成処理手段により再構成処理が行われた画像データに対して、操作指令に従って画像処理を行い、画像処理を行った画像を上記表示手段に表示させる。
【００２５】
（４）また、好ましくは、上記（３）において、上記画像表示処理制御手段は、上記表示手段に、画像処理を行った画像を表示させるとともに、上記計測手段による診断用データの計測動作の計測進行状況を表示させる。
【発明の効果】
【００２６】
本発明によれば、診断用データ格納処理において、画像表示処理制御手段が、診断用データ計測中に診断用データを、取得し格納する必要性をなくし、計測後の任意のタイミングで診断用データを取得し格納することができる。
【００２７】
したがって、データ計測中に、診断用データの保管に関する画像表示処理制御手段の負担を軽減するとともに、画像再構成処理における画像表示処理制御手段の各種処理の並列実行を可能とし、データ処理の高速化が可能な医療画像診断装置を実現することができる。
【発明を実施するための最良の形態】
【００２８】
以下に、本発明の実施形態について、添付図面を参照して説明する。  
図１は、本発明が適用されるＭＲＩ装置の概略構成図である。  
図１において、ガントリー２１は、被検体に静磁場を与える静磁場コイル２７と、被検体に傾斜磁場を与える傾斜磁場コイル２８と、傾斜磁場電源２９と、被検体の生態組織を構成する原子の原子核にＮＭＲ現象を起こさせる高周波パルス（以下、ＲＦパルスという）を所定のパルスシーケンスで繰り返し印加する照射コイル２６と、ＮＭＲ現象による放出されるエコー信号を検出する受信コイル２５とを備えている。
【００２９】
また、計測制御部２２は、照射コイル２６からのＲＦパルスにより被検体にＲＦ磁場を照射する送信系３０と、この送信系３０を制御するための計測処理部３１とを備えている。
【００３０】
また、再構成制御部２３は、受信コイル５で受信したエコー信号を受け取る受信系３２と、この受信系３２から受信したエコー信号に対して再構成処理を実行するための再構成処理部３３とを備える。
【００３１】
さらに、操作卓制御部２４は、画像を表示する表示手段（ディスプレイ）３６と、操作卓３７と、データを蓄積する記憶装置３５と、それらを処理する操作卓処理部３４とを備える。
【００３２】
また、図２は、本発明が適用されるＸ線ＣＴ装置の概略構成図である。  
図２において、ガントリー４１は、扇状Ｘ線ビーム出力するＸ線管４５と、被検体を透過したＸ線を検出するＸ線検出器４６と、ガントリー４１内の各部分を機械的に支持するガントリー部４４とを備える。
【００３３】
また、計測部４２は、Ｘ線管４５にＸ線ビームを発生するのに必要なエネルギーを供給する高電圧発生器４７と、Ｘ線管４５の駆動を制御するＸ線管制御装置４８と、それらを制御する計測処理部４９とを備える。
【００３４】
また、再構成部４３は、Ｘ線検出器４６で得られたデータを収集するデータ収集装置５０と、データ収集装置５０のデータを基にして画像再構成を行なう再構成処理部５１とを備える。
【００３５】
さらに、操作部４４は、画像を表示する表示手段（ディスプレイ）５４と、これらを制御するための操作卓５５と、データを蓄積する記憶装置５３と、それらを処理する操作卓処理部５２とを備える。
【００３６】
図３〜図５は、本発明の一実施形態におけるデータ処理の説明図である。なお、図３〜図５に示す例は、図１に示したＭＲＩ装置及びＸ線ＣＴ装置のいずれにも適用可能である。
【００３７】
また、図３〜図５において、図８、図９に示した部分と同等の部分には同一の符号を付してある。ただし、これら図３〜図５には、再構成処理制御部８用の磁気ディスク１６が設けられている。
【００３８】
また、図３、図４、図５の各部について、Ｓｃａｎｎｅｒハードウェア１０は、図１、図２におけるガントリー２１、４１に相当する。また、計測処理制御部７は、図１、図２における計測制御部２２、４２に相当する。さらに、再構成処理制御部８及び再構成処理制御部用主メモリ９、再構成処理制御部用磁気ディスク１６は、図１、図２における再構成制御部２３、４３に相当する。
【００３９】
また、ユーザインタフェース制御部５及びキーボード１、マウス２、ディスプレイ３、ユーザインタフェース制御部用磁気ディスク４、ユーザインタフェース制御部用主メモリ６は、図１、図２における操作卓制御部２４、４４に相当する。
【００４０】
本発明の一実施形態における、計測時の生データ保管する方法について、図３を用いて説明する。
【００４１】
図３において、データ計測中、再構成処理制御部８は、矢印１９に示すように、Ｓｃａｎｎｅｒハードウェア１０から再構成処理制御部用主メモリ９に入力された生データに対して、再構成処理を実行し画像化を行う。
【００４２】
次に、ユーザインタフェース制御部５が、矢印１８に示すように、再構成処理制御部用主メモリ９からユーザインタフェース制御部用主メモリ６に画像化したデータを受信する。その後、ユーザインタフェース制御部５は、矢印１７に示すように、ユーザインタフェース制御部用主メモリ６の画像化されたデータをディスプレイ３に表示する。
【００４３】
また、これらの処理と並行してデータ計測中には、再構成処理制御部８が、矢印２０に示すように、再構成処理制御部用主メモリ９の生データを再構成処理制御部用磁気ディスク１６に保存する。
【００４４】
次に、本発明の一実施形態において、生データをユーザインタフェース制御部５の磁気ディスク４に保管する方法について、図４を用いて説明する。なお、磁気ディスク４に保管する生データは、磁気ディスク１６に記憶された生データのうち、重要度が高いと判断されたデータ等である。
【００４５】
図４において、ユーザインタフェース制御部５は、その他の処理で忙しくない期間における、任意のタイミングで、再構成処理制御部８に対して生データの取得を実行する。生データの取得が実行されると、再構成処理制御部８が、矢印２０Ｒに示すように、再構成処理制御部用の磁気ディスク１６に保管された生データを再構成処理制御部用主メモリ９に読み込む。
【００４６】
その後、ユーザインタフェース制御部５が、矢印１８に示すように、再構成処理制御部用主メモリ９の生データをユーザインタフェース制御部用主メモリ６に受信し、矢印１２に示すように、ユーザインタフェース制御部用主メモリ６からの生データをユーザインタフェース制御部用の磁気ディスク４に保存する。
【００４７】
次に、本発明の一実施形態における、再構成処理制御部８の磁気ディスク１６に保管された生データに対して再び再構成処理を実行する方法について、図５を参照して説明する。
【００４８】
図５において、ユーザインタフェース制御部５は、再構成処理制御部８に対して、生データを指定して再び、再構成処理を実行することを通知する。通知を受けた再構成処理制御部８は、指定された生データを再構成処理制御部８用の磁気ディスク１６から再構成処理制御部用主メモリ９に読み込み、再構成処理を実行し画像化を行う。
【００４９】
次に、ユーザインタフェース制御部５は、矢印１８に示すように、再構成処理制御部用主メモリ９からユーザインタフェース制御部用主メモリ６に画像化したデータを受信する。
【００５０】
その後、ユーザインタフェース制御部５は、矢印１７に示すように、ユーザインタフェース制御部用主メモリ６の画像化したデータをディスプレイ３に表示する。
【００５１】
次に、本発明の一実施形態において、計測処理制御部７、再構成処理制御部８、Ｓｃａｎｎｅｒハードウェア１０では計測処理を実行し、ユーザインタフェース制御部５では、３Ｄ画像処理を並行して実行する方法について、図６を参照して説明する。
【００５２】
図６は、３Ｄ画像処理の並行実行タイムチャートである。図６において、ユーザインタフェース制御部５は、ユーザからの計測処理実行通知６１によって計測用処理６２を開始し、計測処理制御部７に対して計測処理実行通知６３を通知する。
【００５３】
計測処理制御部７は、計測処理実行通知６３を通知されると、計測制御処理６４を開始し、Ｓｃａｎｎｅｒハードウェア１０に対して計測実行通知６５を通知する。
【００５４】
Ｓｃａｎｎｅｒハードウェア１０は、計測実行通知６５を通知されると、計測処理６６を開始し、計測で得たデータをデータ転送７３で再構成処理制御部８に送信する。再構成処理制御部８は、データ転送７３によりデータを受け取ると生データ格納処理６７を開始し、生データを再構成処理制御部用磁気ディスク１６に格納する。
【００５５】
また、ユーザインタフェース制御部５は、上記の計測処理６６と並行してユーザからの画像加工処理実行通知７１によって、画像加工処理７２を開始する。ユーザインターフェース制御部５が、計測処理実行中での生データ保管動作を行う必要性から解放されたことにより、行うことができるものである。
【００５６】
ユーザインタフェース制御部５は、画像加工処理７２を完了すると、再構成処理制御部８に対して再構成実行通知６８を通知する。再構成処理制御部８は、再構成実行通知６８を通知されると、再構成処理制御部用磁気ディスク１６に格納されている生データに対して再構成処理６９を実行し、再構成処理６９を行ったデータを画像転送処理７０によりユーザインタフェース制御部５に送信する。
【００５７】
次に、上述した計測処理と並行して実行する画像加工処理７２について、その時に使用するユーザインタフェース表示画面の一例を、図７に示す。  
図７において、ユーザは、表示画面中の、データ選択ボタン８２、処理選択ボタン８３を押して、画像加工処理に用いるデータ及び実行する処理の種類を決定し、処理開始ボタン８４を押して画像加工処理を実行させる。
【００５８】
加工結果画像は、加工画像表示領域８１に表示される。さらに、ユーザは計測処理進行状況表示プログレスバー８５によって、計測処理進行状況を確認しながら、上記の画像加工処理操作を実行することができる。
【００５９】
なお、計測処理進行状況表示プログレスバー８５は、計測処理の進行に従って、表示されたバーの表示色が徐々に変化するものである。
【００６０】
このように、画像加工処理操作を実行しながら、生データ（診断用データ）の計測が可能であるが、これは、再構成処理制御部８が、磁気ディスク４に対して生データの格納処理を行うように構成し、ユーザインターフェース制御部５の負担を軽減したことにより、初めて可能となるものである。
【００６１】
以上のように、本発明の一実施形態によれば、データ計測中に、再構成処理制御部８が、この再構成処理制御部８用の磁気ディスク１６に画像構成処理前の生データを格納するように構成したので、データ計測期間中における制御部５の生データの保管処理から解放され、画像表示、ユーザインタフェース処理等のデータ処理を高速に行うことができる。
【図面の簡単な説明】
【００６２】
【図１】本発明が適用されるＭＲＩ装置の概略構成図である。
【図２】本発明が適用されるＸ線ＣＴ装置の概略構成図である。
【図３】本発明の一実施形態における計測時の画像データ／生データの流れを示す図である。
【図４】本発明の一実施形態における、生データをユーザインタフェース制御部の磁気ディスクに保管する方法の説明図である。
【図５】本発明の一実施形態における、再構成処理制御部の磁気ディスクに保管された生データに対して再び再構成処理を実行する方法の説明図である。
【図６】本発明の一実施形態における、計測処理の実行と、ユーザインタフェース制御で３Ｄ画像処理の実行とを並行して行う方法の説明図である。
【図７】本発明の一実施形態における、計測処理と並行して実行する画像加工処理について使用するユーザインタフェース表示画面の一例を示す図である。
【図８】従来技術における、計測時の画像データ／生データの流れを示す図である。
【図９】従来技術における、生データに対して再び再構成処理を実行するときの画像データ／生データの流れを示す図である。
【符号の説明】
【００６３】
１              キーボード
２              マウス
３              再構成制御部
４              ユーザインタフェース制御部用磁気ディスク
５              ユーザインタフェース制御部
６              ユーザインタフェース制御部用主メモリ
７              計測処理制御部
８              再構成処理制御部
９              再構成処理制御部用主メモリ
１０            Ｓｃａｎｎｅｒハードウェア
１６            再構成処理制御部用磁気ディスク
２１            ガントリー
２２            計測制御部
２３            再構成処理制御部
２４            操作卓制御部２４
４１            ガントリー
４２            計測部
４３            再構成部
４４            操作部
８１            加工画像表示領域
８２            データ選択ボタン
８３            処理選択ボタン
８４            処理開始ボタン
８５            計測処理進行状況表示プログレスバー
【図１】
2005230164.tif 000003
【図２】
2005230164.tif 000004
【図３】
2005230164.tif 000005
【図４】
2005230164.tif 000006
【図５】
2005230164.tif 000007
【図６】
2005230164.tif 000008
【図７】
2005230164.tif 000009
【図８】
2005230164.tif 000010
【図９】
2005230164.tif 000011